(57)【特許請求の範囲】
【請求項１】
幅方向の長さが電柱の幅と略同一な板状の取付具本体と、
上記取付具本体の幅方向の両側に表面側に向けて突出して形成され、突出部先端に機器を係止する係止部が設けられた取付部と、
上記電柱を挟み込むように上記取付具本体の幅方向の両側に裏面側に向けて突出して形成され、上記電柱の所定位置に締結固定するための一対の締結部と、
上記一対の締結部が上記電柱を挟み込む際、上記電柱の外周に接触するように上記取付具本体の裏面側に向けて突出して形成された一対の取付足と
を備えた機器取付器具。
【請求項２】
取付具本体の下端に表面側に向けて突出して形成され、係止部に係止吊り下げられた機器をねじ止め固定するためのねじ止め部を設けたことを特徴とする請求項１記載の機器取付器具。
【請求項３】
取付具本体は金属板からなっており、取付足及び取付部は上記取付具の本体の一部を折り曲げて形成されていることを特徴とする請求項１記載の機器取付器具。
【請求項４】
取付具本体は金属板からなっており、取付足、取付部及び締結部は上記取付具本体の一部を折り曲げて形成されていることを特徴とする請求項１記載の機器取付器具。
【請求項５】
取付足の折り曲げ箇所に凹部を形成加工したことを特徴とする請求項３又は請求項４記載の機器取付器具。
【請求項６】
締結部は電柱の所定位置に巻き付けられるバンドを挿入するバンド挿入穴が設けられており、該バンド挿入穴に挿入したバンドを締結することにより、取付足を電柱の所定位置に固定するようにしたことを特徴とする請求項１記載の機器取付器具。
【請求項７】
一対の締結部は、電柱の所定位置に巻き付けられるバンドの両端部が各々ねじ止めされるように構成されていることを特徴とする請求項１記載の機器取付器具。
【発明の詳細な説明】
【０００１】
【発明の属する技術分野】
この発明は、例えば、ＰＨＳ中継局等の機器を電柱上に締結固定する機器取付器具に関する。
【０００２】
【従来の技術】
電柱上には各種機器がバンドにより締結固定されているが、通行の邪魔あるいは、人手によるいたずらを避けるため地上５〜１０ｍの高さに設置するようにしており、ＰＨＳ中継局にあっても、上記に加え通信の障害を避けるためできるだけ高い位置に設置するようにしている。また、屋外に設置されることから台風などの風雨にも耐えられるように、具体的には６０ｍの風速にも耐えられるように、強固に固定する必要がある。
一方で機器の取付作業あるいは点検時には高所での作業を伴うことになり、安全上、簡便で短時間に作業を行うことができる機器取付器具が望まれている。
【０００３】
従来、電柱上に設備される機器取付器具は図９及び図１０のような取付構造が採用されていた。
図９及び図１０において、１は電柱２の所定位置に取り付けられるＰＨＳ中継局などの機器、１ａは機器１の両側面に各々設けられた突起状の係止ピン、３は機器１を取り付けるための取付具で、両側に表面側へ向かって直角に折り曲げられた取付部４が形成されている。５は取付部４の先端部上下にそれぞれ設けられた係止部、６は取付具３の下端に表面側に向けて折り曲げて形成されたねじ止め部、７はねじ、８は取付具３の裏面上部にボルト９ａ、ナット９ｂにより取り付けられる上金具、１０はこの上金具８の上部をＬ字型に折り曲げて形成した吊り下げ部、１１は取付部３の裏面下部にボルト１２ａ、ナット１２ｂにより取り付けられる下金具で、裏面側にバンドを挿入するバンド穴１３が設けられている。１４は電柱２の所定位置にバンド１５により締結固定される電柱側受け金具、１６はこの電柱側受け金具１４に設けられ、バンド１５を挿入するバンド穴である。
【０００４】
次に、このように構成された機器取付器具により、機器１を電柱２に締結固定する手順について説明する。
まず、電柱側受け金具１４を電柱２の所定位置に置き、バンド穴１６に挿入され、かつ、電柱２に巻き付けたバンド１５を締め付けることで、電柱側受け金具１４を電柱２の所定位置に固定する。次いで、上金具８及び下金具１１をボルト９ａ、１２ａとナット９ｂ、１２ｂで取り付けた取付具３を電柱側受け金具１４の位置まで持って行き、上金具８の吊り下げ部１０を電柱側受け金具１４に係止させて吊り下げる。次に、下金具１１のバンド穴１３に挿入したバンドを電柱２に巻き付けて締結固定する。この状態で、取付具３が電柱２の所定位置に固定されたことになる。
【０００５】
次に、電柱２に固定された取付具３の係止部５に機器１の係止ピン１ａを挿入させ、機器１を係止吊り下げた状態にする。この状態で、取付具３下端のねじ止め部６に機器１の底部をねじ７により、ねじ止めすることにより、機器１は取付具３に完全に固定された状態となり、電柱２の所定位置に締結固定されたことになる。
【０００６】
【発明が解決しようとする課題】
従来の機器取付器具は上記のように構成されているので、次のような問題点があった。
即ち、付属される部品が取付具と上金具と下金具と電柱側受け金具とからなっているため、部品点数が多く、また、電柱への締結固定に際してこれら部品を取り付ける作業必要で、かつ、高所でこれら部品同士を取り付けるには安全上問題があった。
また、各部品は個々に製造されるため、その結果、材料費、製作費も高くなってしまう問題点もあった。
【０００７】
この発明は、上記の問題点に鑑みてなされたものであり、電柱への取付作業が容易で、製造も容易な機器取付器具を提供することを目的としている。
【０００９】
【課題を解決するための手段】
この発明に係る機器取付器具は、幅方向の長さが電柱の幅と略同一な板状の取付具本体と、取付具本体の幅方向の両側に表面側に向けて突出して形成され、突出部先端に機器を係止する係止部が設けられた取付部と、電柱を挟み込むように取付具本体の幅方向の両側に裏面側に向けて突出して形成され、電柱の所定位置に締結固定するための一対の締結部と、一対の締結部が電柱を挟み込む際、電柱の外周に接触するように取付具本体の裏面側に向けて突出して形成された一対の取付足とから構成するようにしたものである。
【００１０】
また、この発明に係る発明は、請求項１における機器取付器具であって、取付具本体の下端に表面側に向けて突出して形成され、係止部に係止吊り下げられた機器をねじ止め固定するためのねじ止め部を設けるようにしたものである。
【００１１】
また、この発明に係る発明は、請求項１における機器取付器具であって、取付具本体は金属板からなっており、取付足及び取付部は上記取付具の本体の一部を折り曲げて形成されるようにしたものである。
【００１２】
また、この発明に係る発明は、請求項１における機器取付器具であって、取付具本体は金属板からなっており、取付足、取付部及び締結部は上記取付具本体の一部を折り曲げて形成されるようにしたものである。
【００１３】
また、この発明に係る発明は、請求項３又は請求項４における機器取付器具であって、取付足の折り曲げ箇所に凹部を形成加工するようにしたものである。
【００１４】
また、この発明に係る発明は、請求項１における機器取付器具であって、締結部は電柱の所定位置に巻き付けられるバンドを挿入するバンド挿入穴が設けられており、該バンド挿入穴に挿入したバンドを締結することにより、取付足を電柱の所定位置に固定するようにしたものである。
【００１５】
さらに、この発明に係る発明は、請求項１における機器取付器具であって、一対の締結部は、電柱の所定位置に巻き付けられるバンドの両端部が各々ねじ止めされるように構成したものである。
【００１６】
【発明の実施の形態】
参考例１．
以下、本発明の理解を助けるための参考例１を、図に基づいて説明する。
図１は参考例１における取付具の構造を示す斜視図、図２は取付具をプレス加工で打ち抜いた状態を示す展開図、図３は機器を取付具に取り付ける様子を示した斜視図、図４は取付具により機器を電柱に締結固定した状態を示す斜視図である。
【００１７】
図１において、３は取付具、４は取付具３の両端を折り曲げて表面側に突出形成した取付部で、先端部上下にそれぞれ係止部５が設けられている。６は係止部５に係止吊り下げられた機器１をねじ止め固定するためのねじ止め部、１７は取付具３の略中央を裏面側に向けて折り曲げて形成した一対の取付足で、図１には一対の取付足１７のうち、一方のみが図示されている。１８は取付足１７の先端部に形成されたバンド挿入穴で、バンドにより取付具３を締結固定する締結部を構成する。
【００１８】
即ち、この参考例１に係る取付具３は板状のステンレス鋼板をプレス加工で打ち抜き、取付部４、取付足１７、及びねじ止め部６を折り曲げ加工して形成したものである。
図２は板状のステンレス鋼板をプレス加工で打ち抜いた状態を示しており、図中の一点鎖線部を、取付部４及びねじ止め部６は表面側に、取付足１７は裏面側に折り曲げて図１のように構成している。なお、取付足１７の周囲には、折り曲げ加工が容易に行えるようにスリット１９（凹部）が設けられている。
【００１９】
次に、図３及び図４を参照して電柱２への取付作業について説明する。
先ず、取付足１７の先端に形成したバンド挿入穴１８の挿入したバンド２０を電柱２の所定位置に巻いて締結することにより、取付足１７を電柱２の所定位置に当接固定する。次いで、機器１の係止ピン１ａを取付部４先端部の係止部５に係止吊り下げる。この状態で、ねじ止め部６からねじを挿入し機器１底部とねじ止め部６とをねじ止め固定する。
これにより、機器１は電柱２の所定位置に締結固定されたことになる。
なお、上記参考例１では、取付足１７を１対だけ設けるものとしているが、電柱２への取付は強固に行う必要があるため、重量の大きい機器１を締結固定する場合などには、取付足１７を２対形成し、２本のバンドで締結固定するようにしても良い。
【００２０】
実施の形態１．
本発明の実施の形態１を、図５〜図８に基づいて説明する。
図５は実施の形態１における取付具の構造を示す斜視図、図６は取付具をプレス加工で打ち抜いた状態を示す展開図、図７は機器を取付具に取り付ける様子を示した斜視図、図８は取付具により機器を電柱に締結固定した状態を示す斜視図である。
図５は取付具３を裏面側から見た斜視図であり、図１と同一符号は同一又は相当部分を示す。
上記参考例１では、取付足１７に締結部としてバンド挿入穴１８を形成したが、この実施の形態１では、締結部２１を取付足１７とは別に形成したものである。締結部２１にはバンド端部に取付固定するためのボルト穴２２が設けられている。
【００２１】
即ち、この実施の形態１も板状のステンレス鋼板をプレス加工で打ち抜き、取付部４、ねじ止め部６、取付足１７、及び締結部２１を折り曲げ加工して形成したものである。
図６は板状のステンレス鋼板をプレス加工で打ち抜いた状態を示しており、図中の一点鎖線部を、取付部４及びねじ止め部６は表面側に、取付足１７及び締結部２１は裏面側に折り曲げて図５のように構成している。なお、図６中、２３及び２４は折り曲げ加工を容易にするためのスリット（凹部）である。
【００２２】
次に、図７及び図８を参照して電柱２への取付作業について説明する。
先ず、取付具３の取付足１７を電柱２に押し付けた状態で、締結部２１のボルト穴２２にボルト２５を通し、バンド２６の端部にねじ止め固定する。バンド２６はボルト２５及び２７を締め付けることにより、電柱２を締め付け、取付具３を電柱２の所定位置に締結固定する。次いで、機器１の係止ピン１ａを取付部４の係止部５に係止吊り下げる。この状態で、ねじ止め部６からねじを挿入し機器１底部とねじ止め部６とをねじ止め固定する。
これにより、機器１は電柱２の所定位置に締結固定されたことになる。
【００２３】
なお、上記参考例１及び実施の形態１では、取付具３を板状のステンレス鋼板をプレス加工で打ち抜きし、折り曲げて形成するものとしたが、他の金属材料を用いるものとしても良く、また、強化プラスチック材を同様の形状に成型加工するものとしても良い。
また、上記参考例１及び実施の形態１では、取付部４を単に折り曲げ加工するだけのものとしたが、折り曲げた後、折り曲げ部を変形加工させ、四角、菱形状等の凹部を１箇所若しくは複数箇所に設けるものとすれば、強度を増すことができ、変形を防止できる。
【００２４】
【発明の効果】
以上述べたように、この発明によれば、一体構造の取付足、取付部、及び締結部で機器取付器具を構成したので、取付作業が容易で、また部品点数が少なくなるので製造も容易にできる効果がある。
【００２５】
また、この発明によれば、係止吊り下げられた機器をねじ止め固定するようにしたので、機器の取付を確実に行うことができる効果がある。
【００２６】
また、この発明によれば、取付具本体を金属とし、該本体の一部を折り曲げて各部を形成するものとしたので、製作を簡便にすることができる。
【００２７】
また、この発明によれば、取付足の折り曲げ部に凹部を形成加工するものとしたので、強度を増すことができ、変形を防止できる効果がある。
【００２８】
また、この発明によれば、締結部をバンドで締結固定するようにしたので、締結作業が容易にできる効果がある。
【図面の簡単な説明】
【図１】参考例１における取付具の構造を示す斜視図である。
【図２】参考例１における取付具をプレス加工で打ち抜いた状態を示す展開図である。
【図３】参考例１における取り付け状態を示す斜視図である。
【図４】参考例１における取付具により機器を電柱に締結固定した状態を示す斜視図である。
【図５】この発明の実施の形態１における取付具の構造を示す斜視図である。
【図６】この発明の実施の形態１における取付具をプレス加工で打ち抜いた状態を示す展開図である。
【図７】この発明の実施の形態１における取り付け状態を示す斜視図である。
【図８】この発明の実施の形態１における取付具により機器を電柱に締結固定した状態を示す斜視図である。
【図９】従来の機器取付器具の構造を示す斜視図である。
【図１０】従来の機器取付器具の構造を示す斜視図である。
【符号の説明】
１  機器、２  電柱、３  取付具、４  取付部、５  係止部、６  ねじ止め部、１７  取付足、１８  バンド挿入穴（締結部）、１９，２３，２４  スリット（凹部）、２０，２６  バンド、２１  締結部。
【図１】
0003578929.tif 000002
【図２】
0003578929.tif 000003
【図３】
0003578929.tif 000004
【図４】
0003578929.tif 000005
【図５】
0003578929.tif 000006
【図６】
0003578929.tif 000007
【図７】
0003578929.tif 000008
【図８】
0003578929.tif 000009
【図９】
0003578929.tif 000010
【図１０】
0003578929.tif 000011